(57)【要約】【課題】  仮想世界により現実世界中で交互作用するように導くクロスオーバー相互作用取引システム及びその方法を提供する。【解決手段】  本発明の取引システムは、サーバと、インターネットと、カスタマーのモバイル機器と、店舗の端末装置とを含む。モバイル機器は、無線ネットワーク通信モジュール、測位モジュール及び撮像モジュールを有する。端末装置は、ネットワーク通信モジュール及び商品データベースを有する。サーバは、カスタマーのモバイル機器に対して仮想世界中の仮想店舗へ取引イベントを送信し、カスタマーは、モバイル機器の測位モジュールを介して現実世界中の対応した店舗を探し出して取引イベントを完了し、無線ネットワーク通信モジュールを利用して測位情報及びイベント情報を含むカスタマーデータをサーバに送信し、カスタマーに仮想世界中の取引イベントの指示により、カスタマー及び店舗により現実世界中での相互作用を完了させ、その取引の効果を大幅に高める。【選択図】  図１
2019530932.tif 000002
【特許請求の範囲】
【請求項１】
インターネットと、プラットフォームプロバイダーのサーバと、少なくとも１つのカスタマーのモバイル機器と、少なくとも１つの店舗の端末装置と、を含んだクロスオーバー相互作用取引システムであって、
前記プラットフォームプロバイダーのサーバは、少なくとも処理モジュール、通信モジュール及びマッチング取引プラットフォームを含み、
前記処理モジュールは、情報処理及び機能操作が実行可能なバックステージプログラムであり、
前記通信モジュールは、インターネットと通信可能であって、前記サーバは、少なくともカスタマー識別情報を保存するカスタマーデータベースと、店舗基本識別情報を保存する店舗データベースと、取引イベント情報を保存するマッチング取引データベースと通信し、
前記少なくとも１つのカスタマーのモバイル機器は、少なくとも取引操作モジュール、無線ネットワーク通信モジュール、測位モジュール及び撮像モジュールを有し、前記取引操作モジュールは、機能操作を実行して仮想世界を表示するアプリであり、測位モジュールは、カスタマーの現実世界の位置を測位し、無線ネットワーク通信モジュールは、無線方式によりインターネットを介してサーバと通信してデータを送信し、撮像モジュールは、取引交互作用及び商品画像を得て、
前記少なくとも１つの店舗の端末装置は、少なくとも相互作用取引モジュール、ネットワーク通信モジュール及び商品データモジュールを有し、相互作用取引モジュールは、機能操作を実行して仮想世界を表示するアプリであり、ネットワーク通信モジュールは、有線又は無線方式によりインターネットを介してサーバと通信してデータを送信し、商品データモジュールは、商品の簡単な紹介及び保管量を保存し、
前記サーバは、インターネットを介してモバイル機器及び端末装置と通信し、カスタマーが現実世界中で、仮想世界中で指示された取引イベントを探し出し、カスタマー及び店舗が現実世界中での交互作用により取引イベントを完了させ、仮想世界と現実世界とを結合し、カスタマーを店舗のクロスオーバー相互作用取引システムへ案内することを特徴とするクロスオーバー相互作用取引システム。
【請求項２】
前記モバイル機器は、スマートフォン又はタブレットコンピュータであることを特徴とする請求項１に記載のクロスオーバー相互作用取引システム。
【請求項３】
前記端末装置は、移動式の店舗が店舗の地点を表示する測位モジュールを含むことを特徴とする請求項１に記載のクロスオーバー相互作用取引システム。
【請求項４】
プラットフォームプロバイダーがサーバの処理モジュール及びマッチング取引プラットフォームをオンし、各カスタマーが必要に応じてそのモバイル機器の取引操作モジュールをオンし、各店舗も必要に応じてその端末装置の相互作用取引モジュールをオンし、既にオンしたモバイル機器及び端末装置は、無線ネットワーク通信モジュール及びネットワーク通信モジュールを介し、インターネットによりサーバの通信モジュールと通信状態を形成することにより通信を始動するステップ（Ｓ１１）と、
カスタマーのモバイル機器は、測位モジュールを介して測位した後、サーバへ送信し、カスタマーは、仮想カスタマー身分をモバイル装置又は端末装置の仮想世界中に表示し、店舗の端末装置は、位置をサーバに送信し、店舗を仮想店舗身分でモバイル装置又は端末装置の仮想世界中に表示することにより測位データを送信するステップ（Ｓ１２）と、
サーバは、取引処理モジュールを利用し、インターネットにより少なくとも１つの取引イベントを送信し、取引イベントは、カスタマーのモバイル機器のマーケティング処理モジュールの仮想世界中の仮想店舗に表示する上、現実世界のカスタマーは、モバイル機器上の処理モジュールの仮想世界に基づき、対応した現実世界中で移動するとともに、現実世界中の対応した店舗又は特定地点を探し出すことにより店舗を探し出すステップ（Ｓ１３）と、
カスタマーは、モバイル機器の取引操作モジュール、撮像モジュールなどにより、ビデオ、オーディオ又は文字の方式により取引交互作用を行うとともに、サーバのマッチング取引プラットフォームへ送信する取引交互作用ステップ（Ｓ１４）と、
取引が完了した後、取引情報をモバイル機器の取引操作モジュールを介してサーバのマッチング取引プラットフォームへ返送し、取引管理を行う取引管理ステップ（Ｓ１５）と、
サーバは、現実世界中のカスタマーに応じてモバイル機器又は店舗を介して端末装置のリクエストにより、更新後の対応した仮想カスタマー又は仮想店舗の取引データを送信し、サーバのカスタマーデータベース、店舗データベース及びマッチング取引データベースのデータを同時に保存するか更新する終了ステップ（Ｓ１６）と、を少なくとも含むことを特徴とする請求項１〜３の何れか１項に記載のクロスオーバー相互作用取引システムの取引方法。
【請求項５】
ステップ（Ｓ１２）及びステップ（Ｓ１３）中には、以下のステップが増やされ、それは以下の依頼リクエストステップ（Ｓ１２Ａ）及び依頼を受けるステップ（Ｓ１２Ｂ）を含み、
前記依頼リクエストステップ（Ｓ１２Ａ）において、カスタマーは、モバイル機器の取引操作モジュールを利用し、インターネットを介してサーバの取引処理モジュールに特定範囲内のカスタマーをリクエストし、サーバから返送された後、取引操作モジュールの仮想世界中で表示し、カスタマーが再びサーバのマッチング取引プラットフォームに対してリクエストを依頼し、他方のカスタマーからある店舗に取引イベントを行い、
前記依頼を受けるステップ（Ｓ１２Ｂ）において、何れか１つのカスタマーは、そのモバイル機器の取引操作モジュールを介してリクエストが依頼されたことを知った後、サーバのマッチング取引プラットフォームがその依頼を受けたことを回答し、続いて、前記ステップ（Ｓ１３）及びその後のステップを実行することを特徴とする請求項４に記載の取引方法。
【請求項６】
前記ステップ（Ｓ１３）及び前記ステップ（Ｓ１４）に、以下のステップが増やされ、それは以下のグループ形成のリクエストステップ（Ｓ１３Ａ）及びグループ形成の受理ステップ（Ｓ１３Ｂ）を含み、
前記リクエストステップ（Ｓ１３Ａ）において、カスタマーが対応した店舗を探し出した後、モバイル機器の取引操作モジュールを利用し、インターネットを介してサーバの取引処理モジュールに対して共同購入をリクエストし、
前記グループ形成の受理ステップ（Ｓ１３Ｂ）において、サーバのマッチング取引プラットフォームが共同購入申請を受理した後、カスタマーのモバイル機器の取引操作モジュール又は店舗の端末装置の相互作用取引モジュール上に表示してから、前記ステップ（Ｓ１３）及びその後のステップを行うことを特徴とする請求項４又は５に記載の取引方法。
【発明の詳細な説明】
【技術分野】
【０００１】
本発明は、取引の技術分野に関し、具体的には、仮想世界中で取引情報及び指示をリアルタイムで得て、現実世界中で相互作用を完了させる取引システム及びその方法に関する。
【背景技術】
【０００２】
近年、ネットワーク技術の発展の影響を受け、各種ネットワークを介した商品の販売方法が次第に増えており、徐々に多くの人に注目され、所謂サイバーモールの構築により、消費者は外出しなくともコンピュータの前でショッピングを行うことができるが、このようなネットショッピングでは、写真又は簡単な説明しか見ることができず、消費者は商品に実際に触れることができない上、リアルタイムで訊ねたり選んだりすることができず、実際のショッピングの楽しみとはかけ離れており、食べ物、飲み物などの飲食物の販売は、依然としてレストラン、コーヒーショップ又はスーパーマーケットの店舗が主であった。そのため、依然として消費は店舗で主に行われ、サイバーモールにより取って代わられることはなかった。
【０００３】
また、モバイル機器及びモバイルネットワークの流行により、ネットワークシステムを利用した電子商取引、オンライン・コミュニティ、オンラインゲームなどは、仮想世界の多様性、実用性及び娯楽性を高めた。オンラインゲームは、娯楽性、リアリティ及び参加者の達成感を高め、参加しているグループのネットワーク世界中の相互作用性を高めるなどの理由により、消費者がより安い価格での取引が行える共同購入できるようにされているが、消費トラブルが発生し易く、ネット消費の信頼度を知らぬ間に低下させていた。
【０００４】
これに鑑み、本発明者は、従来の現実世界に対し、広告マーケティングを行う上で直面する問題を深く探求し、多数年、従事する関連産業の研究開発及び製造経験により、継続的に改良及び試作に努力し、仮想世界と現実世界の店舗を結合したクロスオーバー相互作用取引システム及びその方法の開発についに成功し、従来の欠点及び不便を克服した。
【発明の概要】
【発明が解決しようとする課題】
【０００５】
そのため、本発明の主な目的は、取引イベントを仮想世界の店舗に表示し、カスタマーは測位技術により現実世界の対応した店舗を探し出し、実店舗内で指定した取引イベントの相互作用を完了し、実店舗の販売量を大幅に高め、消費の信頼度を高めることができる、クロスオーバー相互作用取引システムを提供することにある。
【０００６】
また、本発明の主な目的は、仮想世界を介して現実世界中で相互作用を実現することにより、消費者を現実世界の店舗へ導き、従来の取引の限界を突破し、取引のトラブルを減らすことができるクロスオーバー相互作用取引方法を提供することにある。
【課題を解決するための手段】
【０００７】
これに基づき、本発明は、主に以下の技術手段により前述した目的及び効果を具体的に実現し、インターネットと、プラットフォームプロバイダーのサーバと、少なくとも１つのカスタマーのモバイル機器と、少なくとも１つの店舗の端末装置と、を含む。
【０００８】
前記プラットフォームプロバイダーのサーバは、少なくとも処理モジュール、通信モジュール及びマッチング取引プラットフォームを含む。処理モジュールは、データ処理及び機能操作が実行可能なバックステージプログラムである。通信モジュールは、インターネットと通信可能である上、サーバは、少なくともカスタマー識別情報を保存するカスタマーデータベースと、店舗基本識別情報を保存する店舗データベースと、取引イベント情報を保存するマッチング取引データベースと通信する。
【０００９】
前記少なくとも１つのカスタマーのモバイル機器は、少なくとも取引操作モジュール、無線ネットワーク通信モジュール、測位モジュール及び撮像モジュールを有する。取引操作モジュールは、機能操作を実行して仮想世界を表示するアプリである。測位モジュールは、カスタマーの現実世界の位置を測位する。無線ネットワーク通信モジュールは、無線方式によりインターネットを介してサーバと通信してデータを送信する。撮像モジュールは、取引交互作用及び商品画像を得る。
【００１０】
前記少なくとも１つの店舗の端末装置は、少なくとも相互作用取引モジュール、ネットワーク通信モジュール及び商品データモジュールを有する。相互作用取引モジュールは、機能操作を実行して仮想世界を表示するアプリであり、ネットワーク通信モジュールは、有線又は無線方式によりインターネットを介してサーバと通信してデータを送信する。商品データモジュールは、商品の簡単な紹介及び保管量を保存する。
【００１１】
それによって、サーバは、カスタマーのモバイル機器に対して仮想世界中の取引イベントを送信し、カスタマーは、モバイル機器の測位により現実世界中の対応した店舗を探し出して取引イベントを完了し、測位情報及び取引イベント情報を含むデータをサーバへ送信し、カスタマーは、仮想世界中の取引イベントの指示を介し、カスタマー及び店舗が現実世界中で取引イベントの相互作用を完了することができるため、その取引効果を大幅に高めることができる。
【００１２】
その取引方法は、以下のステップ（Ｓ１１）〜（Ｓ１６）を少なくとも含む。
【００１３】
通信を始動するステップ（Ｓ１１）：プラットフォームプロバイダーがサーバの処理モジュール及びマッチング取引プラットフォームをオンし、各カスタマーが必要に応じてそのモバイル機器の取引操作モジュールをオンし、各店舗も必要に応じてその端末装置の相互作用取引モジュールをオンし、既にオンしたモバイル機器及び端末装置は、無線ネットワーク通信モジュール及びネットワーク通信モジュールを介し、インターネットによりサーバの通信モジュールと通信状態を形成する。
【００１４】
測位データを送信するステップ（Ｓ１２）：カスタマーのモバイル機器は、測位モジュールを介して測位した後、サーバへ送信し、カスタマーは、仮想カスタマー身分をモバイル装置又は端末装置の仮想世界中に表示し、店舗の端末装置は、位置をサーバに送信し、店舗を仮想店舗身分でモバイル装置又は端末装置の仮想世界中に表示する。
【００１５】
店舗を探し出すステップ（Ｓ１３）：サーバは、取引処理モジュールを利用し、インターネットにより少なくとも１つの取引イベントを送信し、取引イベントは、カスタマーのモバイル機器のマーケティング処理モジュールの仮想世界中の仮想店舗に表示する上、現実世界のカスタマーは、モバイル機器上の処理モジュールの仮想世界に基づき、対応した現実世界中で移動するとともに、現実世界中の対応した店舗又は特定地点を探し出す。
【００１６】
取引交互作用ステップ（Ｓ１４）：カスタマーは、モバイル機器の取引操作モジュール、撮像モジュールなどにより、ビデオ、オーディオ又は文字の方式により取引交互作用を行うとともに、サーバのマッチング取引プラットフォームへ送信する。
【００１７】
取引管理ステップ（Ｓ１５）：取引が完了した後、取引情報をモバイル機器の取引操作モジュールを介してサーバのマッチング取引プラットフォームへ返送し、取引管理を行う。
【００１８】
終了ステップ（Ｓ１６）：サーバは、現実世界中のカスタマーに応じてモバイル機器又は店舗を介して端末装置のリクエストにより、更新後の対応した仮想カスタマー又は仮想店舗の取引データを送信し、サーバのカスタマーデータベース、店舗データベース及びマッチング取引データベースのデータを同時に保存するか更新する。
【００１９】
審査官殿が本発明の構成、特徴及びその他目的を理解するために、以下、本発明の好適な実施例を挙げ、図面と併せて詳細な説明を参照すれば、当業者は具体的に実施することができる。
【図面の簡単な説明】
【００２０】
【図１】本発明の各装置の相対的な関係を説明するシステム構成を示す図である。
【図２】本発明の現実世界中の実際のシステム配置図である。
【図３】本発明のシステム中のモバイル機器が表示する仮想世界を示す図である。
【図４】本発明のシステムの現実世界と仮想世界との対応図である。
【図５】本発明の方法の流れ図である。
【図６】本発明のシステム中のモバイル機器が表示する共同購入取引画面を示す図である。
【発明を実施するための形態】
【００２１】
本発明は、クロスオーバー相互作用取引システム及びその方法であり、以下、特定の具体的な実施形態により本発明の技術内容を説明し、この技術に詳しい者であれば、本明細書で開示した内容により本発明の長所及び効果を容易に理解することができる。しかし、本発明は、他の異なる具体的な実施形態により実行又は応用することもできる。そのため、添付した図面の本発明の具体的な実施例及びその部材は、全て前後、左右、頂部及び底部、上部及び下部、並びに水平及び垂直の参考に関しては、説明を容易に行うことのみに用い、本発明を限定するものではない上、その部材の位置又は空間方向を何ら限定するものではない。図面及び明細書で指定した寸法は、本発明の特許請求の範囲を逸脱しない範囲内で、本発明の具体的な実施例の設計及び必要に応じて変更することができる。
【００２２】
本発明のクロスオーバー相互作用取引システムは、図１に示すように、当該システムは、プラットフォームプロバイダーのサーバ１０と、インターネット２０と、２個又は２個以上のカスタマーのモバイル機器３０と、１個又は１個以上の店舗の端末装置４０と、を含む。サーバ１０は、インターネット２０を介して各モバイル機器３０及び各端末装置４０と有線又は無線により接続してデータを送信し、カスタマーが現実世界中で、仮想世界中で指示する取引イベントを探し出し、カスタマー及び店舗が現実世界中で取引イベントの相互作用を完了する。
【００２３】
本発明のクロスオーバー相互作用取引システムの詳細な構成については、図１及び図２に示すように、上述したサーバ１０は、少なくとも処理モジュール１１、通信モジュール１２及びマッチング取引プラットフォーム１３を含む。処理モジュール１１は、例えば、カスタマーのカスタマー情報、店舗情報、測位データ又は時間情報など、各データの判読、分析、比較及び処理を行う内蔵したバックステージプログラムである。通信モジュール１２は、無線技術又は有線技術によりインターネット２０と通信し、カスタマーのモバイル機器３０又は店舗の端末装置４０と各種データを受信するか取引イベントを送信する。また、マッチング取引プラットフォーム１３は、１カスタマーと少なくとも１カスタマーとの間又は少なくとも１カスタマーと１店舗との間でビデオ、オーディオ又は文字により相互作用を行う内蔵されたプログラムであり、マッチング、注文を受けたオーダーフォーム、物流、キャッシュフローなどのマッチング取引管理を同時に行う。また、サーバ１０は、少なくともカスタマーデータベース１５、店舗データベース１６及びオーダーフォームデータベース１８と電気的に接続される。カスタマーデータベース１５は、カスタマーの基本識別データ、測位データ、完了したイベントデータ、各報酬データなどを保存することができる。店舗データベース１６は、店舗の基本識別データ、位置データ、指示したイベントデータ、提供された報酬データなどを保存するために用い、オーダーフォームデータベース１８は、システム中のカスタマーとカスタマー又はカスタマーと各店舗との間で行うマッチング、取引イベントなどのデータを保存し、マッチング取引プラットフォーム１３に提供して応用し、更新保存する。
【００２４】
上述したモバイル機器３０は、カスタマーのスマートフォン、タブレットコンピュータなどでもよく、少なくとも取引操作モジュール３１、無線ネットワーク通信モジュール３５、測位モジュール３７及び撮像モジュール３８を有する。取引操作モジュール３１は、モバイル機器３０に内蔵されたアプリ（ＡＰＰ）である。図３及び図４に示すように、それはマンマシンインタフェースと、表示可能な仮想世界３００（例えば電子地図又はストリートビュー）と、前述したマッチング取引プラットフォーム１３が提供するマッチング取引画面と、を含む。また、仮想世界３００及び現実世界２００の建物、道路などの位置に対応し、マーケティングイベントの地点を探し出し、取引イベントを完了し、測位モジュール３７は、グローバル・ポジショニング・システム（ＧＰＳ）でもよく、取引操作モジュール３１を組み合わせてカスタマーが店舗又は指示地点を探し出すことができるように案内し、無線ネットワーク通信モジュール３５は、無線方式を介してインターネット２０によりサーバ１０と通信して指示位置又はカスタマー位置のデータを直接送信し、撮像モジュール３８は、店舗、カスタマー又は商品の画像をキャプチャするために用いられる。
【００２５】
また、上述した端末装置４０は、店舗の端末、デスクトップパソコン、ノート型パソコンなどでもよく、少なくとも相互作用取引モジュール４１、ネットワーク通信モジュール４５及び商品データモジュール４８を有する。相互作用取引モジュール４１は、端末装置４０に内蔵したアプリであり、それはマンマシンインタフェース及び表示可能な前述したマッチング取引プラットフォーム１３が提供するマッチング取引画面を含み、取引イベントの設定、変更及び登録を行うことができる。ネットワーク通信モジュール４５は、有線又は無線方式でインターネット２０を介してサーバ１０と通信し、指示又は店舗位置のデータを送信する。端末装置４０は、測位モジュール４７をさらに含む。測位モジュール４７は、相互作用取引モジュール４１を組み合わせて店舗地点を表示する。商品データモジュール４８は、店舗の商品の対応した情報及び保管量を保存し、前述したマッチング取引プラットフォーム１３を提供し、取引中でマッチングして使用する。
【００２６】
このように、仮想世界と組み合わせ、消費者が現実世界の店舗中で行うマッチング取引のクロスオーバー相互作用取引システムを形成する。
【００２７】
本発明を実際に使用する際、図１、図２に示すように、上述したシステムのサーバ１０を介してカスタマーのモバイル機器３０に仮想世界中の店舗の取引イベントを送信し、カスタマーは、モバイル機器３０の取引操作モジュール３１中の測位データにより、現実世界中の対応する店舗を探し出して取引イベントを完了させることができる上、モバイル機器３０は、サーバ１０に対し、測位情報及び取引イベント情報を含むデータを送信し、カスタマーの取引イベントデータを有効に記録、保存、統計及び管理し、クロスオーバー相互作用取引方法のステップについては、図３、図４及び図５を併せて参照する。
【００２８】
通信を始動するステップ（Ｓ１１）：まず、プラットフォームプロバイダーによりサーバ１０の処理モジュール１１及びマッチング取引プラットフォーム１３をオンし、各カスタマー２１０Ａ，２１０Ｂは、必要に応じてそのモバイル機器３０の取引操作モジュール３１をオンし、各店舗２２０Ａ〜２２０Ｄも必要に応じてその端末装置４０の相互作用取引モジュール４１をオンする上、既にオンしたモバイル機器３０及び端末装置４０は、無線ネットワーク通信モジュール３５及びネットワーク通信モジュール４５により、インターネット２０を介してサーバ１０の通信モジュール１２と通信し、複数の取引データの送信又は受信を行う。
【００２９】
測位情報を送信するステップ（Ｓ１２）：各カスタマー２１０Ａ，２１０Ｂのモバイル機器３０は、測位モジュール３７を介して所在位置を位置決めし、カスタマー２１０Ａ，２１０Ｂを、仮想カスタマー３１０Ａ，３１０Ｂの身分によりモバイル機器３０の取引操作モジュール３１の仮想世界３００中に表示してから、仮想カスタマー３１０Ａ，３１０Ｂの身分識別情報、測位情報などを、モバイル機器３０によりインターネット２０を介してサーバ１０へ送信し、サーバ１０が受信した後、処理モジュール１１でデータを処理する。また、店舗２２０Ａ〜２２０Ｄが固定式店舗であるとき、その端末装置４０によりインターネット２０を介してその所定の位置をサーバ１０へ送信し、店舗２２０Ａ〜２２０Ｄを仮想店舗３２０Ａ〜３２０Ｄにより、前述した処理モジュール１１又は相互作用取引モジュール４１の仮想世界３００中に表示する上、店舗２２０Ａ〜２２０Ｄが移動式店舗であるとき、その端末装置４０により測位モジュール４７をさらに有し、位置を測位し、その測位位置をサーバ１０へ送信して仮想店舗３２０Ａ〜３２０Ｄ中に表示する。
【００３０】
店舗を探し出すステップ（Ｓ１３）：カスタマーのモバイル機器３０が送信した測位データをサーバ１０が受信すると、サーバ１０は、取引処理モジュール１１を利用し、カスタマーデータベース１５、店舗データベース１６及びマッチング取引データベース１７中のデータに基づいて分析・比較を行い、インターネット２０を利用して少なくとも１つの取引イベントを送信する。取引イベントは、カスタマー２１０Ａ，２１０Ｂのモバイル機器３０のマーケティング処理モジュール１１の仮想世界３００中の仮想店舗３２０Ａ〜３２０Ｄに表示する上、カスタマー２１０Ａ，２１０Ｂは、モバイル機器３０上の処理モジュール１１の仮想世界３００に基づき、対応した現実世界２００中で移動するとともに、モバイル機器３０の測位モジュール３７により測位し続けて位置を新たに更新し、仮想カスタマー３１０Ａ，３１０Ｂを仮想世界３００の仮想店舗３２０Ａ〜３２０Ｄへ向かって前進させ、最終的にカスタマー２１０Ａ，２１０Ｂは、現実世界２００中の対応した店舗２２０Ａ〜２２０Ｄ又は特定地点を探し出し、指定された取引イベントの動作を行う。
【００３１】
取引交互作用ステップ（Ｓ１４）：図６を組み合わせ、カスタマー２１０Ａ，２１０Ｂは、モバイル機器３０の取引操作モジュール３１、撮像モジュール３８などにより、ビデオ、オーディオ又は文字の方式に取引を行う質問及び回答を行うとともに、サーバ１０のマッチング取引プラットフォーム１３へ送信し、店舗２２０Ａ〜２２０Ｄがその端末装置４０の相互作用取引モジュール４１を介してマッチング取引プラットフォーム１３のデータを得て、追跡及び管理を行う。
【００３２】
取引管理ステップ（Ｓ１５）：カスタマー２１０Ａ，２１０Ｂと店舗２２０Ａ〜２２０Ｄとが現実世界２００中で取引行為を完了した後、取引情報をモバイル機器３０の取引操作モジュール３１及び端末装置４０の相互作用取引モジュール４１を介してサーバ１０のマッチング取引プラットフォーム１３へ返送し、取引管理し易いように後続のデータを記録して更新するとともに、必要な場合、マッチング取引プラットフォーム１３を介して物流及びキャッシュフローの動作及び管理を完了し、後日の統計、比較又は分析を容易に行えるようにする。
【００３３】
終了ステップ（Ｓ１６）：サーバ１０は、カスタマー２１０Ａ，２１０Ｂに応じてモバイル機器３０又は店舗２２０Ａ〜２２０Ｄを介して端末装置４０のリクエストにより、更新後の対応した仮想カスタマー３１０Ａ，３１０Ｂ又は仮想店舗３２０Ａ〜３２０Ｄの取引データを送信し、カスタマー２１０Ａ，２１０Ｂのモバイル機器３０の取引操作モジュール３１又は店舗２２０Ａ〜２２０Ｄの端末装置４０の相互作用取引モジュール４１中に表示し、サーバ１０のカスタマーデータベース１５、店舗データベース１６及びオーダーフォームデータベース１８のデータを同時に保存するか更新する。
【００３４】
上述した方法のステップにより、現実世界のカスタマーは、仮想世界に表示された対応した仮想カスタマーを利用し、仮想店舗又は特定地点に表示された取引イベントを探し出し、現実世界の対応した店舗又は地点で取引イベントの任務を完了し、完了した取引イベントを記録し、対応した仮想カスタマー上に保存し、カスタマーを店舗へ効果的に誘導し、その取引効果を大幅に高めることができる。
【００３５】
図３、図４及び図５に示すように、クロスオーバー相互作用取引方法のステップは、ステップ（Ｓ１２）及びステップ（Ｓ１３）に、以下のステップが増やされてもよい。
【００３６】
依頼リクエストステップ（Ｓ１２Ａ）：現実世界２００のカスタマー２１０Ａは、モバイル機器３０の取引操作モジュール３１を利用し、インターネット２０を介してサーバ１０の取引処理モジュール１１に特定範囲内の仮想カスタマー３１０Ｂをリクエストし、サーバ１０から返送された後、取引操作モジュール３１の仮想世界３００中で表示し、カスタマー２１０Ａが再びサーバ１０のマッチング取引プラットフォーム１３に対してリクエストし、他方のカスタマー２１０Ｂからある店舗２２０Ｂに取引イベントを行うことを依頼する。
【００３７】
依頼を受けるステップ（Ｓ１２Ｂ）：何れかのカスタマー２１０Ｂは、そのモバイル機器３０の取引操作モジュール３１を介して依頼がリクエストされたことを知った後、サーバ１０のマッチング取引プラットフォーム１３がその依頼を受けたと回答し、続いて、Ｓ１３及びその後のステップを実行し、カスタマー２１０Ａにより、他のカスタマー２１０Ｂが現実世界２００の店舗２２０Ｂ中で実際の商品を見て討論するなどの交互作用の取引を行うことができる。
【００３８】
また、クロスオーバー相互作用取引方法のステップは、ステップ（Ｓ１３）及びステップ（Ｓ１４）に、以下のステップが増やされてもよい。
【００３９】
グループ形成のリクエストステップ（Ｓ１３Ａ）：現実世界２００のカスタマー２１０Ａ，２１０Ｂが対応した店舗２２０Ａ〜２２０Ｄを探し出した後、共同購入する必要がある場合、モバイル機器３０の取引操作モジュール３１を利用し、インターネット２０を介してサーバ１０の取引処理モジュール１１に対して共同購入をリクエストする。
【００４０】
グループ形成の受理ステップ（Ｓ１３Ｂ）：サーバ１０のマッチング取引プラットフォーム１３が権限を評価し、対応した店舗２２０Ａ〜２２０Ｄに訊ねた後、カスタマー２１０Ａ，２１０Ｂの共同購入申請の受理又は不受理を選択し、共同購入画面は、図６に示すように、カスタマー２１０Ａ，２１０Ｂのモバイル機器３０の取引操作モジュール３１又は店舗の端末装置４０の相互作用取引モジュール４１上に返送して表示してから、Ｓ１３及びその後のステップを実行し、その他興味のあるカスタマー２１０Ａ，２１０Ｂは、各自モバイル機器３０の取引操作モジュール３１を介し、仮想カスタマー３１０Ａ，３１０Ｂの身分で見ることと取引を行う。
【００４１】
前述したことから分かるように、本発明のサーバ１０は、カスタマーのモバイル機器３０に仮想世界中の取引イベントを送信し、カスタマーは、モバイル機器３０の位置決めにより現実世界中の対応した店舗を探し出して取引イベントを完了させるとともに、その他のカスタマーの依頼を受けて共同購入を行い、取引効果を大幅に高め、製品の付加価値を高めるとともに、その経済性を高めることができる。
【００４２】
そのため、本発明は創造性が極めて高い創作であり、従来の物が直面した問題を効果的に解決することができる上、その効果を大幅に高めることもでき、同じ技術分野において同じ又は類似した製品は見当たらなく公用もされておらず、効果が高く、本発明は発明の「新規性」及び「進歩性」の要件を満たすため、ここに法により特許出願するものである。
【００４３】
１０  サーバ
１１  処理モジュール
１２  通信モジュール
１３  マッチング取引プラットフォーム
１５  カスタマーデータベース
１６  店舗データベース
１８  オーダーフォームデータベース
２０  インターネット
３０  モバイル機器
３１  取引操作モジュール
３５  無線ネットワーク通信モジュール
３７  測位モジュール
３８  撮像モジュール
４０  端末装置
４１  相互作用取引モジュール
４５  ネットワーク通信モジュール
４７  測位モジュール
４８  商品データモジュール
２１０Ａ，２１０Ｂ  カスタマー
２２０Ａ〜２２０Ｄ  店舗
３００  仮想世界
３１０Ａ，３１０Ｂ  仮想カスタマー
３２０Ａ〜３２０Ｄ  仮想店舗
２１０Ａ，２１０Ｂ  カスタマー
Ｓ１１  通信を始動する
Ｓ１２  測位情報を送信する
Ｓ１２Ａ  依頼リクエスト
Ｓ１２Ｂ  依頼を受ける
Ｓ１３  店舗を探し出す
Ｓ１３Ａ  グループ形成のリクエスト
Ｓ１３Ｂ  グループ形成の受理
Ｓ１４  取引交互作用
Ｓ１５  取引管理
Ｓ１６  終了
【図１】
2019530932.tif 000003
【図２】
2019530932.tif 000004
【図３】
2019530932.tif 000005
【図４】
2019530932.tif 000006
【図５】
2019530932.tif 000007
【図６】
2019530932.tif 000008
【国際調査報告】
2019530932.tif 000009
2019530932.tif 000010
2019530932.tif 000011
2019530932.tif 000012